(57)【要約】【課題】通常の市販のパンツを使用することができ、また通常の尿取りパッドをこのパンツに、ずれることなくしっかりと固定することができるパンツアタッチメントを得る。【解決手段】本考案パンツアタッチメント１は、パンツ胴回りの前身頃および後身頃のそれぞれに一方の端部を縫着可能なフラップ手段３と、このフラップ手段３の一方端部の近傍に互いに離れた位置で固定した少なくとも２個のスナップ手段４と、フラップ手段４の他方の端部に固定し、スナップ手段４にスナップ嵌合する対向スナップ手段５とにより構成し、パンツ内部に配置した尿取りパッドまたは生理パッド６の前端縁６ａおよび後端縁６ｂを、前後それぞれにおけるアタッチメント１の互いにスナップ嵌合するスナップ手段４，５間に挟み付けて固定可能にする。フラップ手段３は、横長の一体細条、または個別の縦長の短ストラップとすることもできる。【選択図】図１
0003143428.tif 000002
【実用新案登録請求の範囲】
【請求項１】
パンツに取り付けるパンツアタッチメントにおいて、胴回りの前身頃および後身頃のそれぞれに一方の端部を縫着可能なフラップ手段と、このフラップ手段の前記一方端部の近傍に互いに離れた位置で固定した少なくとも２個のスナップ手段と、前記フラップ手段の他方の端部に固定し、前記スナップ手段にスナップ嵌合する対向スナップ手段とにより構成し、パンツ内部に配置した尿取りパッドまたは生理パッドの前端縁および後端縁を、前後それぞれにおける前記アタッチメントの互いにスナップ嵌合するスナップ手段間に挟み付けて固定可能にすることを特徴とするパンツアタッチメント。
【請求項２】
前記フラップ手段を、横長の一体細条とし、この横長の一体細条の一方の端部に互いに所定距離離れた少なくとも２カ所で前記スナップ手段を固定し、他方の端部に前記所定距離離れた少なくとも２カ所で対向スナップ手段を固定するものとした請求項１記載のパンツアタッチメント。
【請求項３】
フラップ手段を、一方の端部にスナップ手段を固定し、他方の端部に対向スナップ手段を固定した個別の縦長の短ストラップにより構成し、胴回りの前身頃および後身頃のそれぞれに、これら個別の短ストラップを、少なくとも２個互いに離して一方の端部を縫着した請求項１記載のパンツアタッチメント。
【請求項４】
請求項１〜３のうちいずれか一項に記載のパンツアタッチメントのフラップ手段のいずれか一方の端部をパンツ胴回りの前身頃および後身頃のそれぞれに縫着し、尿取りパッドまたは生理パッドを固定可能にしたことを特徴とするパンツ。
【考案の詳細な説明】
【技術分野】
【０００１】
本考案は、介護を必要とする人用のパンツに関する。
【背景技術】
【０００２】
従来このような介護用パンツとしては、特別に仕立てたパンツがある。（例えば、特許文献１参照。）このような従来のパンツは、おむつのようにお尻からお腹にくるみ、両サイドを面ファスナーまたは粘着テープで止着する。また、パンツ内部の中央部に吸水性パッドを粘着テープで固定するのが一般的である。
【特許文献１】特開２００１−０９５８３０号公報
【考案の開示】
【考案が解決しようとする課題】
【０００３】
しかし、吸水性パッドをパンツ内部の中央部に粘着テープで固定するものは、パンツ本体からずれることがよくある。
【０００４】
したがって、本考案の目的は、特別に仕立てたパンツではなく、通常の市販のパンツを使用することができ、また通常の尿取りパッドをこのパンツに、ずれることなくしっかりと固定することができるパンツアタッチメントを得るにある。さらに、本考案はこのようなパンツアタッチメントを取り付けたパンツを得るにある。
【課題を解決するための手段】
【０００５】
この目的を達成するため、本考案パンツアタッチメントは、胴回りの前身頃および後身頃のそれぞれに一方の端部を縫着可能なフラップ手段と、このフラップ手段の前記一方端部の近傍に互いに離れた位置で固定した少なくとも２個のスナップ手段と、前記フラップ手段の他方の端部に固定し、前記スナップ手段にスナップ嵌合する対向スナップ手段とにより構成し、パンツ内部に配置した尿取りパッドまたは生理パッドの前端縁および後端縁を、前後それぞれにおける前記アタッチメントの互いにスナップ嵌合するスナップ手段間に挟み付けて固定可能にすることを特徴とする。
また本考案パンツは、このようなパンツアタッチメントのフラップ手段のいずれか一方の端部をパンツ胴回りの前身頃および後身頃のそれぞれに縫着し、尿取りパッドまたは生理パッドを固定可能にしたことを特徴とする。
【考案の効果】
【０００６】
本考案パンツアタッチメントによれば、特別に仕立てた介護用パンツではなく、市販の普通のパンツ、たとえば男性用のブリーフ・トランクスや女性用の下着パンツ等、男性用女性用を問わないが、好適には、ブリーフパンツをそのまま利用し、このパンツの前身頃および後身頃のそれぞれに、フラップ手段の一方の端部を縫着するだけで、パンツ内部に配置した尿取りパッドまたは生理パッドの前端縁および後端縁を、前後それぞれにおける前記アタッチメントの互いにスナップ嵌合するスナップ手段間に挟み付けてしっかりと固定することができ、パンツ着用中に尿取りパッドまたは生理パッドがずれることを確実に防止でき、その上股ずれの発生を予防することもできる。さらに、汚れた尿取りパッドまたは生理パッドを簡単に取り替えることもできる。
【考案を実施するための最良の形態】
【０００７】
本考案の好適な実施形態においては、前記フラップ手段を、横長の一体細条とし、この横長の一体細条の一方の端部に互いに所定距離離れた少なくとも２カ所で前記スナップ手段を固定し、他方の端部に前記所定距離離れた少なくとも２カ所で対向スナップ手段を固定するものとする。
【０００８】
本考案の他の実施形態においては、フラップ手段を、一方の端部にスナップ手段を固定し、他方の端部に対向スナップ手段を固定した個別の縦長の短ストラップにより構成し、胴回りの前身頃および後身頃のそれぞれに、これら個別の短ストラップを、少なくとも２個互いに離して一方の端部を縫着する。
【０００９】
本考案の実施態様として、このようなパンツアタッチメントのフラップ手段のいずれか一方の端部をパンツ胴回りの前身頃および後身頃のそれぞれに縫着し、尿取りパッドまたは生理パッドを固定可能にしたパンツとすることもできる。
以下、図面につき本考案の好適な実施例を説明する。
【実施例１】
【００１０】
図１（ａ）に示す本考案パンツアタッチメント１は、特別に仕立てた介護用パンツではなく、市販の普通のパンツ、好適には、ブリーフパンツ２をそのまま利用する。本考案パンツアタッチメント１は、パンツ胴回りの前身頃および後身頃のそれぞれに一方の端部を縫着可能なフラップ手段３（分かり易くするため、図面には、後身頃にのみ縫着した状態を示すが、前身頃にも同様のフラップ３を縫着する）と、このフラップ手段３の一方の端部の近傍に互いに離れた位置で、例えば、ハトメまたは縫着により固定した、少なくとも２個のスナップ手段４（図示の実施例の場合、雌形スナップ）と、フラップ手段３の他方の端部に固定し、スナップ手段４にスナップ嵌合する対向スナップ手段５（図示の実施例の場合、雄形スナップ）と、により構成する。
【００１１】
パンツ内部には、図１（ｂ）に示すように、市販の尿取りパッドまたは生理パッド６を配置する。この後、尿取りパッドまたは生理パッド６の前端縁６ａおよび後端縁６ｂを、前後それぞれにおけるパンツアタッチメント１の互いにスナップ嵌合するスナップ手段４，５間に挟み付けて固定する。
【００１２】
図１（ａ）に示す実施例のパンツアタッチメント１においては、フラップ手段３を、横長の一体細条とし、この横長の一体細条の一方の端部に互いに所定距離離れた少なくとも２カ所でスナップ手段４を固定し、他方の端部に所定距離離れた２カ所で対向スナップ手段５を固定する。図示の実施例では、互いに離れた２カ所の雌形スナップ４および雄形スナップ５を固定したが、３個またはそれ以上の個数固定することもできる。またスナップ手段４を雄形スナップ、対向スナップ手段５を雌形スナップとすることもできる。
【実施例２】
【００１３】
図２に示す第２実施例では、フラップ手段１を、一方の端部に例えばハトメまたは縫着によりスナップ手段４（図示の実施例の場合、雌形スナップ）を固定し、他方の端部に例えばハトメまたは縫着により対向スナップ手段５（図示の実施例の場合、雄形スナップ）を固定した個別の縦長の短ストラップ７により構成し、胴回りの前身頃および後身頃のそれぞれに、これら個別の短ストラップ７を、少なくとも２個互いに離して一方の端部を縫着する（分かり易くするため、図面には、後身頃にのみ縫着した状態を示すが、前身頃にも同様の短ストラップ７を縫着する）。図示の実施例では、前後それぞれの身頃に互いに離れた２個の短ストラップ７を縫着したが（図面では後身頃のみ示したが、前身頃も同様にする）、３個またはそれ以上の個数縫着することもできる。またスナップ手段４を雄形スナップ、対向スナップ手段５を雌形スナップとすることもできる。
【００１４】
図１および図２の実施例では、市販のブリーフパンツとしたが、本考案によるパンツアタッチメントを予めパンツ胴回りの前身頃および後身頃のそれぞれに縫着した、尿取りパッドまたは生理パッドを固定可能にしたパンツとすることもできる。
【産業上の利用可能性】
【００１５】
本考案パンツアタッチメントは、介護用品とした利用でき、パンツ着用中に装着した尿取りパッドまたは生理パッドがずれることを確実に防止できる。
【図面の簡単な説明】
【００１６】
【図１】（ａ）は本考案によるパンツアタッチメントの第１実施例を取り付けたパンツ、このパンツ内に配置してパンツアタッチメントで固定する尿取りパッドまたは生理パッドの斜視図である。
【図２】本考案によるパンツアタッチメントの第２実施例を取り付けたパンツの斜視図である。
【符号の説明】
【００１７】
１  パンツアタッチメント
２  ブリーフパンツ
３  フラップ手段
４  スナップ手段（雌形スナップ）
５  対向スナップ手段（雄形スナップ）
６  尿取りパッドまたは生理パッド
６ａ  前端縁
６ｂ  後端縁
７  短ストラップ（フラップ手段）
【図２】
0003143428.tif 000003
【図１】
0003143428.tif 000004